(57)【要約】  【課題】  筐体内に収容されたディスクが回転している場合であっても、筐体の外部からディスクの表示面を視認可能とする。  【解決手段】  ディスクにデータの書き込み／読み出しを行う記録／再生部２と、記録／再生部２を収容する筐体１とを備えるディスク記録／再生装置において、光を筐体１の内外間で透過する透光状態と、光を遮断する遮断状態との間を状態変化できる液晶シャッター１０ａを筐体１が有する方形の窓部１０ｂに備え付け、更にディスクＡを回転させるモータ３０の回転に同期させて、液晶シャッター１０ａの状態を周期的に透光状態と遮断状態との間で変化させる透光部制御手段を筐体１の内部に設ける。【選択図】        図１
2005141861.tif 000002
【特許請求の範囲】
【請求項１】
記録／再生用のディスクにデータの書き込み／読み出しを行う記録／再生部と、該記録／再生部を収容する筐体と、該筐体の内外間で光を透過する透光部とを備えるディスク記録／再生装置において、
前記透光部は、光を透過する透光状態と、光を遮断する遮断状態との間を状態変化できるように構成されていることを特徴とするディスク記録／再生装置。
【請求項２】
前記透光部を、周期的に前記透光状態に状態変化させる透光部制御手段を備える請求項１に記載のディスク記録／再生装置。
【請求項３】
ディスクを回転させるモータを備え、
該モータの回転に同期させて、周期的に前記透光部を前記透光状態に状態変化させる透光部制御手段を備える請求項１又は請求項２に記載のディスク記録／再生装置。
【請求項４】
前記透光部制御手段は、前記透光状態に状態変化させる周期を変動させるべくなしてある請求項２又は請求項３に記載のディスク記録／再生装置。
【請求項５】
前記筐体は、筐体内部の光を前記透光部に向けて反射させる鏡を内部に備える請求項１乃至請求項４のいずれか一つに記載のディスク記録／再生装置。
【請求項６】
前記筐体は、筐体内部を照明する光源を備える請求項１乃至請求項５のいずれか一つに記載のディスク記録／再生装置。
【請求項７】
前記筐体は、光の一部を透過する透光鏡を、前記透光部の光路上に備える請求項１乃至請求項６のいずれか一つに記載のディスク記録／再生装置。
【請求項８】
前記記録／再生部は、ディスクに光を投射する光ピックアップを備えており、
前記筐体は、前記光ピックアップからの光を遮る遮光体を、前記透光部の光路上に備える請求項１乃至請求項７のいずれか一つに記載のディスク記録／再生装置。
【請求項９】
ディスクが前記筐体の内部に収容されていない場合、前記透光部は前記遮断状態に状態変化するように構成されている請求項１乃至請求項８のいずれか一つに記載のディスク記録／再生装置。
【請求項１０】
前記透光部は、液晶シャッターを備えることを特徴とする請求項１乃至請求項９のいずれか一つに記載のディスク記録／再生装置。
【発明の詳細な説明】
【技術分野】
【０００１】
本発明は、ディスク記録／再生装置、特にＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＣＤ−Ｒ（Ｃｏｍｐａｃｔ  Ｄｉｓｃ  Ｒｅｃｏｒｄａｂｌｅ）、ＣＤ−ＲＷ（Ｃｏｍｐａｃｔ  Ｄｉｓｃ  ＲｅＷｒｉｔａｂｌｅ）等のディスクにデータの書き込み／読み出しを行う記録／再生部を備えるディスク記録／再生装置に関する。
【背景技術】
【０００２】
ディスク記録／再生装置は、記録／再生用の円盤状記録媒体であるディスクの表面にレーザ光を投射し、データの書き込み／読み出しを行う光ピックアップと、ディスクを回転させるモータと、該モータ、及び前記光ピックアップを収容する筐体とを備えている。前記モータの回転軸には、ディスクを保持する円盤状の回転台が設けられており、ディスクを前記回転台に保持し、回転させながら、データの書き込み／読み出しを行う（特許文献１）。
【０００３】
ところで、ディスクを筐体内部に収容し、回転台に保持した場合、筐体の外部からディスクの表示面、即ちディスクの内容を文字又は模様等で表示した表示面を視認することができないため、筐体内部に収容したディスクの内容を確認する場合、ディスクを筐体内部から一旦取り出し、ディスクの表示面を視認して内容を確認する必要があった。或はディスク記録／再生装置を動作させて、ディスクの内容を実際に読み出し、ディスクの内容を確認する必要があった。いずれの確認方法を用いた場合であっても、ディスク記録／再生装置の使用者は、煩わしい操作を強いられるという問題があった。
【０００４】
この問題を解決するディスク記録／再生装置として、筐体の一部に窓部を設け、筐体内部に収容されたディスクの表示面を外部から視認できるように構成されたものがある。
【０００５】
一方、ディスク内容に関する情報が予め記録されているディスクから、該情報を読み出し、液晶ディスプレイに表示させるディスク記録／再生装置がある。
【特許文献１】特開平５−２１０９０２号公報
【発明の開示】
【発明が解決しようとする課題】
【０００６】
しかしながら、窓部を備えるディスク記録／再生装置においては、ディスク記録／再生装置が動作し、ディスクが回転している場合、回転に目が追い付かず、ディスクの表示面に表示されている文字等を視認することができないという問題があった。
【０００７】
また、光ピックアップからのレーザ光が筐体外部に漏れ出す危険があるため、窓部の大きさはディスクの表示面の極一部が視認できる程度の大きさであり、表示面に表示された文字等を十分に視認することができないという問題があった。
【０００８】
一方、ディスクの内容に関する情報を液晶ディスプレイに表示するディスク記録／再生装置においては、該情報がディスクに記録されていない場合、ディスクの内容を知ることができないという問題があった。
【０００９】
また、ディスクの表示面に描かれた模様を筐体の外部から視認することができないという問題があった。
【００１０】
本発明は、斯かる事情に鑑みてなされたものであり、ディスク記録／再生装置が動作し、筐体内部に収容されたディスクが回転している場合であっても、外部からディスクの表示面を視認することができるディスク記録／再生装置を提供することを目的とする。
【課題を解決するための手段】
【００１１】
本発明に係るディスク記録／再生装置は、記録／再生用のディスクにデータの書き込み／読み出しを行う記録／再生部と、該記録／再生部を収容する筐体と、該筐体の内外間で光を透過する透光部とを備えるディスク記録／再生装置において、前記透光部は、光を透過する透光状態と、光を遮断する遮断状態との間を状態変化できるように構成されていることを特徴とする。
【００１２】
本発明にあっては、透光部が透光状態にある場合、透光部を通じて筐体の内外間で光が透過することができるため、外部から筐体内部を視認することができる状態となる。一方、透光部が遮断状態にある場合、透光部を通じて筐体の内外間で光が透過することができないため、外部から筐体内部を視認することができない状態となる。
【００１３】
また、透光部の状態を透光状態、又は遮断状態に切り替えることができるため、筐体内部を視認できる状態と視認できない状態とを任意に切り替えることができる。
【００１４】
本発明に係るディスク記録／再生装置は、前記透光部を、周期的に前記透光状態に状態変化させる透光部制御手段を備えることを特徴とする。
【００１５】
本発明にあっては、透光部が周期的に透光状態に状態変化することができるため、外部から筐体内部を視認することができる状態と、視認することができない状態との間を周期的に状態変化させることができる。
【００１６】
本発明に係るディスク記録／再生装置は、ディスクを回転させるモータを備え、該モータの回転に同期させて、周期的に前記透光部を前記透光状態に状態変化させる透光部制御手段を備えることを特徴とする。
【００１７】
本発明にあっては、モータの回転に同期して、周期的に透光部が透光状態となるため、モータの回転に係る位相が所定の状態にある場合に限り、透光部が透光状態となる。従って、前記位相が所定の状態にある場合、筐体内部を視認することができ、前記位相が所定の状態にない場合、筐体内部を視認することができなくなる。つまり、前記位相が所定の状態にあるときに限り、筐体内部を外部から視認することができる。
【００１８】
本発明に係るディスク記録／再生装置において、前記透光部制御手段は、前記透光状態に状態変化させる周期を変動させるべくなしてあることを特徴とする。
【００１９】
本発明にあっては、透光部が透光状態に状態変化する周期を任意に変動させることができる。例えば、モータの回転に同期して、周期的に透光部が透光状態に状態変化している場合、モータの回転に係る位相が所定の状態にあるときに限り筐体内部を視認できるが、透光部が状態変化する周期をモータの回転周期からずらすことにより、筐体内部を視認することができる前記位相を変化させることができる。なお、透光部の状態変化を、再びモータの回転に同期させることにより、筐体内部を外部から視認することができる前記位相の状態を固定することができる。従って、透光部の状態変化する周期を変動させることにより、筐体内部を外部から視認することができる状態にある前記位相を自由に選択することができる。
【００２０】
本発明に係るディスク記録／再生装置において、前記筐体は、筐体内部の光を前記透光部に向けて反射させる鏡を内部に備えることを特徴とする。
【００２１】
本発明にあっては、筐体内部からの光を透光部に向けて反射させる鏡を内部に備えているため、筐体が鏡を備えていない場合、外部から窓部を通じて視認することができない部分を視認することができる。
【００２２】
本発明に係るディスク記録／再生装置において、前記筐体は、筐体内部を照明する光源を備えることを特徴とする。
【００２３】
本発明にあっては、光源により筐体内部を照明することができるため、光源を備えていないディスク記録／再生装置に比べ、外部から筐体内部をより明瞭に視認することができる。
【００２４】
本発明に係るディスク記録／再生装置において、前記筐体は、光の一部を透過する透光鏡を、前記透光部の光路上に備えることを特徴とする。
【００２５】
本発明にあっては、光の一部を透過する透光鏡を備えているため、透光部が透光状態にある場合、筐体内部の光の一部は透光鏡を透過し、外部に放射され、また筐体外部の光の一部は透光鏡により反射される。従って、透光部が透光状態にある場合であって、筐体の外部に比べ、筐体内部が明るいとき、透光鏡によって反射される筐体外部の光に比べ、透光鏡を透過する筐体内部の光の方が強くなり、外部から筐体内部を視認することができる状態となる。一方、筐体の外部に比べ筐体内部が暗いとき、透光鏡によって反射される筐体外部の光に比べ、透光鏡を透過する筐体内部の光の方が弱くなり、外部から筐体内部を視認することができない状態となる。従って、例えば、筐体の内部又は外部の光量を調節することにより、筐体内部を外部から視認することができる状態と、視認することができない状態との間を自由に変化させることができる。
【００２６】
本発明に係るディスク記録／再生装置において、前記記録／再生部は、ディスクに光を投射する光ピックアップを備えており、前記筐体は、前記光ピックアップからの光を遮る遮光体を、前記透光部の光路上に備えることを特徴とする。
【００２７】
本発明にあっては、透光部の光路上に、光ピックアップからの光を遮断する遮光体を備えているため、透光部に向けて前記光が放射された場合であっても、前記光は遮光体に遮断され、筐体の外部に放射しない。
【００２８】
本発明に係るディスク記録／再生装置は、ディスクが前記筐体の内部に収容されていない場合、前記透光部は前記遮断状態に状態変化するように構成されていることを特徴とする。
【００２９】
本発明にあっては、ディスクが筐体内部に収容されていない状態にある場合、透光部が遮断状態に状態変化するため、筐体内部を外部から視認することができない状態となる。従って、ディスクが筐体内部に収容されていないために視認可能となる機械的な部分、即ちデザイン的に問題のある部分を、外部から視認できない状態にすることができる。
【００３０】
本発明に係るディスク記録／再生装置において、前記透光部は、液晶シャッターを備えることを特徴とする。
【００３１】
本発明にあっては、透光部が液晶シャッターを備えているため、透光部の透光状態と遮断状態との間を簡易に状態変化させることができる。
【発明の効果】
【００３２】
本発明にあっては、筐体内部に収容されたディスクの表示面を視認したい場合、透光部を透光状態に状態変化させることにより、筐体の外部から表示面を視認することが可能となる。
【００３３】
また、外部から筐体内部を視認することができる状態と、視認することができない状態とを自由に切り替えることが可能となる。
【００３４】
本発明にあっては、筐体内部に収容されたディスクの表示面を、任意の周期で視認することが可能となる。
【００３５】
本発明にあっては、ディスク記録／再生装置が動作し、ディスクが回転している場合であっても、モータの回転に同期させ、周期的に透光部を透光状態に状態変化させることにより、ディスクの表示面を筐体の外部から視認することが可能となる。
【００３６】
本発明にあっては、ディスク記録／再生装置が動作し、ディスクが回転している場合において、外部から視認することができるディスクの表示面の向きを周方向に変化させることが可能となる。
【００３７】
本発明にあっては、透光部を通じて直接視認することが困難である筐体内部を視認することが可能となる。例えばディスクが水平となるように筐体内部に収容され、筐体の正面側に透光部が設けられている場合であっても、筐体内部に収容されたディスクの表示面を筐体の正面側から視認することが可能となる。
【００３８】
本発明にあっては、筐体内部に収容されたディスクの表示面を明瞭に視認することが可能となる。
【００３９】
本発明にあっては、筐体内部の光量を調節することにより、筐体内部を視認することができる状態と、視認することができない状態とを切り替えることが可能となる。
【００４０】
本発明にあっては、光ピックアップからの光が透光部を通じて筐体外部に放射されることがなく、安全にディスク記録／再生装置を使用することが可能となる。
【００４１】
本発明にあっては、ディスクを筐体内部に収容していない状態にある場合、筐体内部を外部から視認することができない状態になり、デザイン的に問題のある機械的部分が、使用者に視認されないようにすることが可能となる。
【００４２】
本発明にあっては、透光部における透光状態と遮断状態との間を簡易に状態変化させることが可能となる。
【発明を実施するための最良の形態】
【００４３】
以下に、本発明をその実施の形態を示す図面に基づいて詳述する。図１は、本発明に係るディスク記録／再生装置を側面側から見た場合の模式的断面図である。ディスク記録／再生装置、即ちディスク記録装置、ディスク再生装置、又はディスク記録再生装置は、中空直方体形状の筐体１と、記録／再生用の円盤状記録媒体であるディスクＡにデータの書き込み／読み出し行う記録／再生部２と、ディスクＡを回転させるモータ３０と、筐体１の内外間で光を透過する透光部１０とを備えている。
【００４４】
記録／再生部２は、筐体１の内部に収容されており、データの書き込み／読み出しを行うべくレーザ光を投射する光ピックアップ２ａと、光ピックアップ２ａを支持し、ディスクＡの径方向に摺動させる案内軸２ｂとから構成され、トラバースメカユニット２０内に配置されている。光ピックアップ２ａは、書き込むべきデータ形式に対応して変調されたレーザ光を対物レンズで集光し、ディスクＡの表面に形成されたトラック上の一点に投射し、該トラック上に相変化した記録マークを形成することで書き込みを行い、また、ディスクＡの表面からの反射光を対物レンズで集光して取り出し、これをデータに変換処理することで読み取りを行っている。
【００４５】
なお、記録／再生部２は、記録用ディスクにデータの書き込みを行う記録部、再生用のディスクからデータの読み出しを行う再生部、又は、記録再生用のディスクにデータの書き込み及び読み出しを行う記録再生部のいずれかを意味している。
【００４６】
モータ３０は、回転軸の一端部にディスクＡを保持する円盤状の回転台３１を備えている。回転台３１に載置されたディスクＡは、円盤状のクランパ３２と回転台３１との間に締め付けられており、図１においては、ディスクＡの内容を表示した文字又は模様等が表示されている表示面が上を向いた状態にある。図中４３は、モータ３０の回転周期及びモータ３０の回転に係る位相を検出する位相検出部である。
【００４７】
透光部１０は、筐体１の正面で開口している方形の窓部１０ｂと、窓部１０ｂに対向配置されている方形の液晶シャッター１０ａとから構成されている。窓部１０ｂには、光の一部を透過する鏡、例えばハーフミラーである透光鏡７が嵌装されている。液晶シャッター１０ａは、エポキシ系の接着剤であるシール部材を介して対向する２枚の透明基板と、２枚の透明基板の間に液晶が満たされてなる液晶層と、２枚の透明基板の間において液晶層を挟む２枚の透明電極と、２枚の透明基板を平行的に挟む２枚の偏光フィルムとから構成される。２枚の偏光フィルムは、偏向面の方向が互いに所定の角度を有するように配置されている。即ち、透明電極に電圧が印加されていない場合、液晶シャッター１０ａが透光状態になり、電圧が印加されている場合、遮断状態になるように２枚の偏光フィルムを配置する。
【００４８】
また、ディスク記録／再生装置は、筐体１の内部、特にディスクＡの表示面を照明する光源６と、ディスクＡを間に挟むようにトラバースメカユニット２０に対向配置されている遮光体８と、ディスクＡの表示面からの光５ａを反射し窓部１０ｂに導くべく、液晶シャッター１０ａ及びディスクＡの表示面夫々に対して４５度の角度を有し、モータ３０を中心にしてトラバースメカユニット２０と対称的になる箇所に配置された鏡５とを備えている。
【００４９】
図２は、本発明に係るディスク記録／再生装置の構成を示すブロック図である。ディスク記録／再生装置は、使用者の操作を受け付ける操作部９と、透光部１０が備える液晶シャッター１０ａを制御する透光部制御手段４とを備えており、更に透光部制御手段４は、記録／再生部２、モータ３０及び光源６を制御可能に構成されている。
【００５０】
透光部制御手段４は、液晶シャッター１０ａを駆動する液晶シャッター駆動部４１と、モータ３０を駆動するモータ駆動部４２と、モータ３０の位相及び回転周期を検出する位相検出部４３と、液晶シャッター駆動部４１及びモータ駆動部４２を制御する制御部４０とから構成されている。液晶シャッター駆動部４１は、液晶シャッター１０ａが備える２枚の透明電極に接続し、任意の周期でパルス電圧を印加することができるパルス発振器である。特にモータ３０の回転周期、及び該周期より長短する周期で電圧を印加することができる。また、定常的に電圧を印加及び切断することもできる。制御部４０は、液晶シャッター駆動部４１、及びモータ３０に繋がるモータ駆動部４２に接続され、モータ駆動部４２は更に位相検出部４３に接続されている。また、制御部４０は、位相検出部４３により検出したモータ３０の回転周期等の情報を、モータ駆動部４２を経由して取得し、液晶シャッター１０ａの状態変化をモータ３０の回転に同期させるべく液晶シャッター駆動部４１を制御することができる。更に、制御部４０は、操作部９、光源６及び記録／再生部２に接続されている。
【００５１】
実施の形態に係るディスク記録／再生装置の動作を、透光部制御手段４の動作と合わせて説明する。
【００５２】
筐体１にディスクＡが収容されていない場合、制御部４０は、光源６を消灯し、液晶シャッター１０ａを遮断状態にする。光源６が消灯している場合、筐体１の外部に比べ、筐体１の内部は暗いため、筐体１の外部からは透光鏡７が鏡状になり、筐体１の内部を視認することができない状態となる。
【００５３】
また、ディスク記録／再生装置が電源に接続されていない場合も同様に、光源６は消灯しており、筐体１の内部を視認することができない状態となる。
【００５４】
筐体１にディスクＡが収容され、ディスクＡが回転していない状態において、ディスクＡの表示面を視認する場合の動作を説明する。使用者がディスクＡの表示面を視認すべく、操作部９を操作した場合、制御部４０は、光源６を点灯し、液晶シャッター駆動部４１を制御して液晶シャッター１０ａを透光状態に状態変化させ、該状態を維持する。すなわち、制御部４０は液晶シャッター駆動部４１を制御し、液晶シャッター１０ａに印加する電圧を遮断する。
【００５５】
液晶シャッター１０ａに印加する電圧が遮断されている状態においては、液晶シャッター１０ａが備える一方の偏光フィルムに入射した光は、偏光となり、配向した液晶層を透過し、偏光方向が他方の偏光フィルムの偏光面の方向と一致する向きに捻れ、液晶シャッター１０ａを透過する。なお、電圧が印加されている状態においては、一方の偏光フィルムを透過した偏光は、液晶層を透過するが、他方の液晶フィルムの偏光面の方向と一致する向きに捻れず、他方の偏光フィルムで遮断される。
【００５６】
この場合、光源６により照明されているディスクＡの表示面からの光５ａは、鏡５で反射し、液晶シャッター１０ａに達し、透光状態にある液晶シャッター１０ａを透過する。また、筐体１の外部に比べ、筐体１の内部は明るいため、筐体１の外部から透光鏡７及び窓部１０ｂを通じて、ディスクＡの表示面を視認することができる状態となる。
【００５７】
筐体１にディスクＡが収容され、ディスクＡが一定の回転周期Ｔ０で回転している状態において、ディスクＡの表示面を視認する場合の動作を説明する。図３は、液晶シャッター１０ａの動作、特に周期的状態変化をモータ３０の回転に同期させた場合の動作説明図である。図３（ａ）は、モータ３０の回転に係る位相と時間ｔとの関係を示している。ところで、ディスクＡは、モータ３０の回転台３１に固定されているため、以下、前記位相をディスクＡの回転に係る位相に置き換えて説明する。ディスクＡの表示面に表示されている星印が、図３（ｃ）に示す位置にあるときの位相を０とし、時計回りに位相が増加するものとする。図３（ｂ）は、液晶シャッター駆動部４１が液晶シャッター１０ａに印加する印加電圧と時間ｔとの関係を示し、図３（ｃ）は、時間ｔがｎ・Ｔ１（ｎ＝０、２、４、６）の時におけるディスクＡの位相状態を模式的に示したものであり、破線で囲まれた方形部分は、透光部１０を通じて視認することができるディスクＡの部分を示している。
【００５８】
制御部４０は、位相検出部４３により検出したモータ３０の回転周期Ｔ０を、モータ駆動部４２を経由して取得し、モータ３０の回転周期と同じ周期Ｔ１（Ｔ１＝Ｔ０）でパルス電圧を液晶シャッター１０ａに印加すべく液晶シャッター駆動部４１を制御する。また、制御部４０は、光源６を点灯する。
【００５９】
この場合、液晶シャッター１０ａに印加されている電圧が低下している時間Ｎ・Ｔ１（Ｎ＝整数）においてのみ、液晶シャッター１０ａが透光状態となり、外部からディスクＡの表示面を視認することができる状態となる。従って、ディスクＡが、図３（ｃ）に示す状態にあるとき、即ちディスクＡの位相が０のときに限り、ディスクＡの表示面を外部から視認することができる。その結果、外部から窓部１０ｂを通じて、ディスクＡの表示面の一部分を、準静止状態、即ちディスクＡが静止しているかのような状態で視認することができる。
【００６０】
更に、ディスクＡの表示面のうち、準静止状態で視認可能な部分を反時計回りに回転させる場合の動作について説明する。図４は、液晶シャッター１０ａの動作、特に状態変化の周期をモータ３０の回転周期Ｔ０より短くした場合の動作説明図である。図４（ａ）は、モータ３０の回転に係る位相と時間ｔとの関係を示し、図４（ｂ）は、液晶シャッター駆動部４１が液晶シャッター１０ａに印加する印加電圧と時間ｔとの関係を示し、図４（ｃ）は、時間ｔがｎ・Ｔ２（ｎ＝０、２、４、６）の時におけるディスクＡの位相状態を模式的に示したものである。
【００６１】
視認可能なディスクＡの表示面を反時計回りに回転させる指示を操作部９が受け付けた場合、制御部４０は、モータ３０の回転周期Ｔ０に比べ短い周期Ｔ２でパルス電圧を液晶シャッター１０ａに印加すべく液晶シャッター駆動部４１を制御する。
【００６２】
この場合、液晶シャッター１０ａに印加する電圧が低下した時間Ｎ・Ｔ２（Ｎ＝整数）においてのみ、外部からディスクＡの表示面を視認することができる状態となるが、視認可能なディスクＡの位相は２πから２π・（１−Ｔ２／Ｔ０）ずつ小さくなる。つまり、図４（ｃ）に示すように、窓部１０ｂから視認可能な表示面の部分が反時計回りに回転する。
【００６３】
なお、所望する箇所まで表示面を回転させることができた場合、液晶シャッター１０ａに印加するパルス電圧の周期を周期Ｔ０に戻すことにより、再び準静止状態でディスクＡの表示面を視認することができる。
【００６４】
また、同様にして、ディスクＡの表示面のうち、準静止状態で視認可能な部分を時計回りに回転させる場合の動作について説明する。図５は、液晶シャッターの動作、特に状態変化の周期をモータ３０の回転周期Ｔ０より長くした場合の動作説明図である。図５（ａ）は、モータ３０の回転に係る位相と時間ｔとの関係を示し、図５（ｂ）は、液晶シャッター駆動部４１が液晶シャッター１０ａに印加する印加電圧と時間ｔとの関係を示し、図５（ｃ）は、時間ｔがｎ・Ｔ３（ｎ＝０、２、４、６）の時におけるディスクＡの位相状態を模式的に示したものである。
【００６５】
視認可能なディスクＡの表示面を時計回りに回転させる指示を操作部９が受け付けた場合、制御部４０は、モータ３０の回転周期Ｔ０に比べ長い周期Ｔ３でパルス電圧を液晶シャッター１０ａに印加すべく液晶シャッター駆動部４１を制御する。
【００６６】
この場合、液晶シャッター１０ａに印加される電圧が低下した時間Ｎ・Ｔ３（Ｎ＝整数）においてのみ、外部からディスクＡの表示面を視認することができる状態となるが、視認可能なディスクＡの位相は０から２π・（Ｔ３／Ｔ０−１）ずつ大きくなる。つまり、図５（ｃ）に示すように、窓部１０ｂから視認可能な表示面の部分が時計回りに回転する。
【００６７】
一方、ディスク記録／再生装置が動作している状態において、チャプタージャンプをする場合、制御部４０は液晶シャッター１０ａを遮断状態にするように液晶シャッター駆動部４１を制御し、光源６を消灯する。
【００６８】
チャプタージャンプがされる場合、モータ３０の回転周期が急激に変化し、モータ３０の回転と液晶シャッター１０ａの状態変化との同期が取れなくなり、窓部１０ｂから視認されるディスクＡの表示面が、乱れた状態になる恐れがあるが、透光部１０が遮断状態にあるため、ディスク記録／再生装置の使用者は、乱れた状態にあるディスクＡの表示面を目にすることはない。
【００６９】
このように構成されるディスク記録／再生装置にあっては、筐体１内部に収容されたディスクＡの表示面を、外部から視認することが可能となり、特にディスクＡが回転している場合であっても、ディスクＡが静止しているような状態で表示面を視認することが可能となる。
【００７０】
また、透光部１０を通じて視認可能な表示面の部分を、ディスクＡの周方向に回動させることにより、全周に亘ってディスクＡの表示面を視認することが可能となる。
【００７１】
更に、鏡５により、ディスクＡが水平となるように筐体１内に収容され、筐体１の正面側に透光部１０が設けられている場合であっても、筐体１の正面側からディスクＡの表示面を視認することが可能となる。
【００７２】
更にまた、光源６によってディスクＡの表示面を照明することにより、ディスクＡの表示面を明瞭に視認することが可能となる。なお、透光鏡７を窓部１０ｂに備えているため、筐体１内部の明るさを光源６によって調節することにより、窓部１０ｂを通じて、筐体１内部を視認可能な状態と視認不可能な状態とを切り替えることが可能となる。
【００７３】
更にまた、光ピックアップ２ａからのレーザ光を遮断する遮光体８を備えているため、レーザ光が窓部１０ｂに向けて放射された場合であっても、筐体１の外部にレーザ光が放射されることはなく、ディスク記録／再生装置の安全性を確保することが可能となる。
【００７４】
なお、本実施の形態においては、透光状態と遮断状態との間を液晶シャッターを用いて状態変化させているが、これに限るものではなく、例えば絞りが開閉するようなシャッター、開口部を有する円盤を回転させるようなシャッターであってもよい。
【００７５】
また、本実施の形態においては、偏光フィルムを備える液晶シャッターを使用しているが、偏光フィルムを用いず、液晶の配向状態を変化させて、液晶自体を透明な状態、又は不透明な状態に状態変化させるものであってもよい。
【００７６】
更に、本実施の形態においては、電圧が印加された場合に遮断状態となる液晶シャッターを用いているが、電圧が印加された場合に透光状態となる液晶シャッターであってもよい。
【００７７】
更にまた、モータの回転に同期させて、透光部を周期的に状態変化させているが、モータの回転周期Ｔ０を数倍した周期ｎ・Ｔ０（ｎ＝自然数）、ｎ分の１の周期Ｔ０／ｎ、又は他の任意の周期で、周期的に状態変化させてもよい。同期させるべき周期は、ディスクＡの表示面が有する回転対称性、用途等に応じて変動させればよい。
【００７８】
更にまた、透光部制御手段は、実施の形態に示すものに限らず、モータの回転周期を検出し、該回転周期に同期させて液晶シャッターを状態変化させる回路であれば良く、プログラムを一部に含むものであってもよい。
【００７９】
更にまた、透光鏡は窓部に位置し、遮光体は光ピックアップに対向するように配置されているが、これに限らず、透光部の光路上、即ち透光部を通じて筐体の内部と外部との間を伝播することができる光の経路上に透光鏡及び遮光体を備え付けてもよい。
【図面の簡単な説明】
【００８０】
【図１】本発明に係るディスク記録／再生装置を側面側から見た場合の模式的断面図である。
【図２】本発明に係るディスク記録／再生装置の構成を示すブロック図である。
【図３】液晶シャッターの動作、特に周期的状態変化をモータの回転に同期させた場合の動作説明図である。
【図４】液晶シャッターの動作、特に状態変化の周期をモータの回転周期より短くした場合の動作説明図である。
【図５】液晶シャッターの動作、特に状態変化の周期をモータの回転周期より長くした場合の動作説明図である。
【符号の説明】
【００８１】
１  筐体
２  記録／再生部
２ａ  光ピックアップ
４  透光部制御手段
５  鏡
６  光源
７  透光鏡
８  遮光体
９  操作部
１０  透光部
１０ａ  液晶シャッター
１０ｂ  窓部
３０  モータ
４０  制御部
４１  液晶シャッター駆動部
４２  モータ駆動部
４３  位相検出部
Ｔ０  モータの回転周期
Ａ  ディスク
【図１】
2005141861.tif 000003
【図２】
2005141861.tif 000004
【図３】
2005141861.tif 000005
【図４】
2005141861.tif 000006
【図５】
2005141861.tif 000007